(57)【特許請求の範囲】
【請求項１】
画像情報と画像に関する情報を書き込み、読み出し可能なディスクメモリ手段と、
このディスクメモリ手段のディスクメモリ領域を、画像情報が連続アドレスで格納される領域を含む複数の故障予測エリアに分割すると共に、動作時の異常の記録に基づいて、各故障予測エリア毎の故障予測を行うための故障予測手段と、
この故障予測手段により故障が予測される故障予測エリアが確認され、この故障予測エリアに画像情報、および画像に関する情報が記憶されている場合には、その故障予測エリアに記憶されている画像情報、および画像に関する情報を読み出して出力する画像出力手段と、を備えていることを特徴とするデジタル画像形成装置。
【請求項２】
前記画像出力手段は、画像記録部から故障が予測される故障予測エリアに記憶されている画像情報、および画像に関する情報を記録出力する際に、画像情報、および画像に関する情報と共に、出力する画像情報の対応を問うメッセージ画像情報も合わせて記録することを特徴とする請求項１に記載のデジタル画像形成装置。
【請求項３】
ディスクメモリ手段に記憶されている画像情報、および画像に関する情報の転送指示を行う転送指示手段と、
この転送指示手段により指示された指示内容に応じて画像情報、および画像に関する情報を転送する画像情報転送手段とを備え、
前記画像記録部から故障が予測される故障予測エリアに記憶されている画像情報、および画像に関する情報を記録出力すると共に、前記転送指示手段により画像情報の転送指示があると、指示された内容に応じて画像情報、および画像に関する情報を指示された転送先に転送することを特徴とする請求項１に記載のデジタル画像形成装置。
【請求項４】
画像情報と画像に関する情報を書き込み、読み出し可能なディスクメモリ手段と、
このディスクメモリ手段のディスクメモリ領域を、画像情報が連続アドレスで格納される領域を含む複数の故障予測エリアに分割すると共に、動作時の異常の記録に基づいて、各故障予測エリア毎の故障予測を行うための故障予測手段と、
この故障予測手段により故障が予測される故障予測エリアが確認され、この故障予測エリアに画像情報、および画像に関する情報が記憶されている場合には、記憶手段に画像情報、および画像に関する情報を転送する転送手段と、を備えていることを特徴とするデジタル画像形成装置。
【請求項５】
画像情報と画像に関する情報を書き込み、読み出し可能なディスクメモリ手段と、
このディスクメモリ手段のディスクメモリ領域を、画像処理モードに応じた、画像情報が連続アドレスで格納する領域を含む複数の故障予測エリアに分割すると共に、動作時の異常の記録に基づいて、各故障予測エリア毎の故障予測を行うための故障予測手段と、
画像情報に対する画像処理モードを設定する画像処理モード設定手段と、この画像処理モード設定手段により設定された処理内容からディスクメモリ手段にアクセスする回数を確認する第１の確認手段と、
この第１の確認手段により確認されたディスクメモリ手段のアクセス回数と処理される画像情報が記憶されている故障予測エリアにおける故障予測情報とから、画像処理モード設定手段により設定された画像処理モードの一部モードを規制する規制手段と、を備えていることを特徴とするデジタル画像形成装置。
【請求項６】
画像情報と画像に関する情報を書き込み、読み出し可能なディスクメモリ手段と、
このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、
画像情報に対する画像処理モードを設定する画像処理モード設定手段と、この画像処理モード設定手段により設定された処理内容からディスクメモリ手段にアクセスする回数を確認する第１の確認手段と、
この第１の確認手段により確認されたディスクメモリ手段のアクセス回数と故障予測エリアにおける故障予測情報とから、画像処理モード設定手段により設定された画像処理モードの実行中に故障予測レベルに達すると判定される場合に、操作者に対してそのことを伝える警告手段と、を備えていることを特徴とするデジタル画像形成装置。
【請求項７】
画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、
画像情報に対する画像処理モードを設定する画像処理モード設定手段と、この画像処理モード設定手段により設定された処理内容に基づいて画像の処理を行う画像処理手段と、
この画像処理手段により処理された画像情報、および画像に関する情報を出力する画像出力手段と、画像情報に対する画像の処理を実施している時に、その画像情報を記憶している故障予測エリアが、故障予測手段により所定の故障予測レベルに達すると、画像の処理を一時的に中断する手段と、を備えていることを特徴とするデジタル画像形成装置。
【請求項８】
画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、
画像情報に対する画像処理モードを設定する画像処理モード設定手段と、この画像処理モード設定手段により設定された処理内容に基づいて画像の処理を行う画像処理手段と、
この画像処理手段により処理された画像情報、および画像に関する情報を出力する画像出力手段と、
画像情報に対する画像の処理を実施している時に、その画像情報を記憶している故障予測エリアが、故障予測手段により所定の故障予測レベルに達すると、その時点以降、画像処理が施された結果物を今までの結果物とは異なる状態で保存する手段と、を備えていることを特徴とするデジタル画像形成装置。
【発明の詳細な説明】
【０００１】
【発明の属する技術分野】
本発明は、画像処理装置を備え読み取った画像をデジタル変換し、一時的に記憶する記憶装置を備え、他の画像形成装置やパソコン（ＰＣ）と接続しデータの交換が可能な複写装置に関するものである。利用分野としては、デジタルＰＰＣ（Ｐｌａｉｎ  Ｐａｐｅｒ  Ｃｏｐｉｅｒ）、ファクシミリ装置、プリンタ、スキャナが考えられる。
【０００２】
【従来の技術及び発明が解決しようとする課題】
従来の技術としては、画像記憶装置に関するものとしては、少ないメモリを効率的に利用するものや大容量の記憶装置を複数の入力データの一時記憶装置として利用し、データを出力させるための処理方法などについては、特開平４−２５２５５７号公報などで提案されている。
【０００３】
しかし、画像記憶装置のデータ保護や管理についての処理手順について提案された物はない。
【０００４】
ハードディスク（ＨＤＤ）を用いた画像形成装置において、マルチコピーを実行する場合、ＨＤＤを使用し一度の入力で複数の画像を出力するために画像を連続して記憶していかなければならなかったり、ファイリング等の情報を長期にわたり保存しておかなければならない場合がある。そうした場合に、ＨＤＤが故障してしまうと、連続に処理しているデータは、それまでの処理分が無効になったり、長期保存のデータが消えてしまうことになり、ファイリングの意味がなくなるという問題があった。
【０００５】
そこで、本発明では、画像形成装置の画像記憶装置に使用するハードディスクの故障予測情報にもとづいて、ハードディスクのデータ管理をすることが可能な画像形成装置を提供することを目的とする。
【０００６】
更に、本発明では、画像形成装置の画像記憶装置に使用するハードディスクの故障予測情報にもとづいて、故障や連続アドレスで記憶されるデータのアクセススピードが異常になったりすることを前もって予測することで、記憶装置の画像データの信頼性を保証する画像形成装置を提供することを目的とする。
【０００７】
更に、本発明では、画像形成装置の画像記憶装置に使用するハードディスクの故障予測情報にを得た画像処理部は、ハードディスクの中に保存されている画像データを記憶すべき、画像形成装置の他の記憶部分を探し、記憶部分があればそこに画像データを転送し、記憶部分がなければ、その画像データの印字出力を行う画像形成装置を提供することを目的とする。
【０００８】
【課題を解決するための手段】
請求項１に記載のデジタル画像形成装置は、画像情報と画像に関する情報を書き込み、読み出し可能なディスクメモリ手段と、このディスクメモリ手段のディスクメモリ領域を、画像情報が連続アドレスで格納される領域を含む複数の故障予測エリアに分割すると共に、動作時の異常の記録に基づいて、各故障予測エリア毎の故障予測を行うための故障予測手段と、この故障予測手段により故障が予測される故障予測エリアが確認され、この故障予測エリアに画像情報、および画像に関する情報が記憶されている場合には、その故障予測エリアに記憶されている画像情報、および画像に関する情報を読み出して出力する画像出力手段と、を備えていることを特徴としている。
【０００９】
請求項２に記載のデジタル画像形成装置は、請求項１に記載した画像出力手段が、画像記録部から故障が予測される故障予測エリアに記憶されている画像情報、および画像に関する情報を記録出力する際に、画像情報、および画像に関する情報と共に、出力する画像情報の対応を問うメッセージ画像情報も合わせて記録することを特徴としている。
【００１０】
請求項３に記載のデジタル画像形成装置は、請求項１に記載した構成に加えて、ディスクメモリ手段に記憶されている画像情報、および画像に関する情報の転送指示を行う転送指示手段と、この転送指示手段により指示された指示内容に応じて画像情報、および画像に関する情報を転送する画像情報転送手段とを備え、前記画像記録部から故障が予測される故障予測エリアに記憶されている画像情報、および画像に関する情報を記録出力すると共に、前記転送指示手段により画像情報の転送指示があると、指示された内容に応じて画像情報、および画像に関する情報を指示された転送先に転送することを特徴としている。
【００１１】
請求項４に記載のデジタル画像形成装置は、画像情報と画像に関する情報を書き込み、読み出し可能なディスクメモリ手段と、このディスクメモリ手段のディスクメモリ領域を、画像情報が連続アドレスで格納される領域を含む複数の故障予測エリアに分割すると共に、動作時の異常の記録に基づいて、各故障予測エリア毎の故障予測を行うための故障予測手段と、この故障予測手段により故障が予測される故障予測エリアが確認され、この故障予測エリアに画像情報、および画像に関する情報が記憶されている場合には、記憶手段に画像情報、および画像に関する情報を転送する転送手段と、を備えていることを特徴としている。
【００１２】
尚、この記憶手段としては、他のディスクメモリ領域若しくは外部記憶手段であってもよい。
【００１３】
請求項５に記載のデジタル画像形成装置は、画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリア毎に分割すると共に、動作時の異常の記録に基づいて、各故障予測エリア毎の故障予測を行うための故障予測手段と、画像情報に対する画像処理モードを設定する画像処理モード設定手段と、この画像処理モード設定手段により設定された処理内容からディスクメモリ手段にアクセスする回数を確認する第１の確認手段と、この第１の確認手段により確認されたディスクメモリ手段のアクセス回数と処理される画像情報が記憶されている故障予測エリアにおける故障予測情報とから、画像処理モード設定手段により設定された画像処理モードの一部モードを規制する規制手段とを備えていることを特徴としている。
【００１４】
請求項６に記載のデジタル画像形成装置は、画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、画像情報に対する画像処理モードを設定する画像処理モード設定手段と、この画像処理モード設定手段により設定された処理内容からディスクメモリ手段にアクセスする回数を確認する第１の確認手段と、この第１の確認手段により確認されたディスクメモリ手段のアクセス回数と故障予測エリアにおける故障予測情報とから、画像処理モード設定手段により設定された画像処理モードの実行中に故障予測レベルに達すると判定される場合に、操作者に対してそのことを伝える警告手段と、を備えていることを特徴としている。
【００１５】
請求項７に記載のデジタル画像形成装置は、画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、画像情報に対する画像処理モードを設定する画像処理モード設定手段と、この画像処理モード設定手段により設定された処理内容に基づいて画像の処理を行う画像処理手段と、この画像処理手段により処理された画像情報、および画像に関する情報を出力する画像出力手段と、画像情報に対する画像の処理を実施している時に、その画像情報を記憶している故障予測エリアが、故障予測手段により所定の故障予測レベルに達すると、画像の処理を一時的に中断する手段と、を備えていることを特徴としている。
【００１６】
請求項８に記載のデジタル画像形成装置は、画像情報と画像に関する情報を書き込み、読み出し可能なディスクメモリ手段と、このディスクメモリ手段のディスクメモリ領域を、画像処理モードに応じた、画像情報が連続アドレスで格納される領域を含む複数の故障予測エリアに分割すると共に、動作時の異常の記録に基づいて、各故障予測エリア毎の故障予測を行うための故障予測手段と、画像情報に対する画像処理モードを設定する画像処理モード設定手段と、この画像処理モード設定手段により設定された処理内容に基づいて画像の処理を行う画像処理手段と、この画像処理手段により処理された画像情報、および画像に関する情報を出力する画像出力手段と、画像情報に対する画像の処理を実施している時に、その画像情報を記憶している故障予測エリアが、故障予測手段により所定の故障予測レベルに達すると、その時点以降、画像処理が施された結果物を今までの結果物とは異なる状態で保存する手段と、を備えていることを特徴としている。
【００１７】
請求項１に記載の画像形成装置によれば、動作時の異常の記録に基づいて、画像形成装置の画像記憶装置に使用するハードディスクの故障や連続アドレスで記憶されるデータのアクセススピードが異常になったりすることを前もって予測することにより、記憶装置の画像データの信頼性を保証する。また、圧縮されたデータの完全復元を行うためには、データの異常は致命的なため異常を起こす前に対応することでデータのファイリングを可能とする。
【００１８】
請求項２に記載の画像形成装置によれば、動作時の異常の記録に基づいて、画像形成装置の画像記憶装置に使用するハードディスクの故障や連続アドレスで記憶されるデータのアクセススピードが異常になったりすることを前もって予測することにより、記憶装置の故障予測領域からデータを待避する方法をユーザに知らせる。
【００１９】
請求項３に記載の画像形成装置によれば、請求項２において、データを待避する方法をユーザに知らせるとともに、ユーザに対して画像の待避方法を選択できるようにする。
【００２０】
請求項４に記載の画像形成装置によれば、ＨＤＤ内の記憶手段の有効領域を無駄なく使用することができる。
【００２１】
請求項５に記載の画像形成装置によれば、動作時の異常の記録に基づいて、画像記憶装置内で故障予測を行い、異常を判定した一部のモードを規制手段により規制することにより、画像処理モードの一部モードを使用せずに画像処理を行うことができるため、画像の異常を無くすことができる。
【００２２】
請求項６に記載の画像形成装置によれば、動作時の異常の記録に基づいて、画像記憶装置で故障が予測された故障予測エリアを使用する機能モードについて、ユーザにメッセージを与えることにより、処理の変更や画像の異常に対する原因を明らかにする。
【００２３】
請求項７に記載の画像形成装置によれば、動作時の異常の記録に基づく画像記憶装置の故障が予測された時点で、出力処理が行われていた場合、出力処理をいったん中止し、故障予測エリアの画像を安全な領域に待避してから、続行することで故障領域のアクセス回数を少なくする。
【００２４】
請求項８に記載の画像形成装置によれば、動作時の異常の記録に基づく画像記憶装置の故障が予測された時点で、出力処理が行われていた場合、出力処理をいったん中止し、故障予測エリアの画像を安全な領域に待避してから、続行することで故障領域のアクセス回数を少なくし、出力処理の時間も短くしてＨＤＤの故障対応を早くする。
【００２５】
【発明の実施の形態】
以下、本発明の一実施の形態のデジタル画像形成装置について図面を参照しながら説明する。
【００２６】
《デジタル複写機の構成》
図１はデジタル複写機の全体構成を示す断面図である。この図に示すようにデジタル複写機３０はスキャナ部３１、レーザ記録部３２から大きく構成されている。スキャナ部３１は透明ガラスからなる原稿載置台３５、原稿載置台３５上へ自動的に原稿を供給搬送するための両面対応自動原稿送り装置（ＲＡＤＦ）３６、及び原稿載置台３５上に載置された原稿の画像を走査して読み取るための原稿画像読み取りユニット、すなわちスキャナユニット４０から構成されている。このスキャナ部３１にて読み取られた原稿画像は、画像データーとして後述する画像データ入力部へと送られ、画像データーに対して所定の画像処理が施される。
【００２７】
用紙収納・搬送部には、第１カセット５１、第２カセット５２、両面複写ユニット５３、及びマルチ手差しトレイ５４を有している。この用紙収納・搬送部における各カセットには、用紙の束がサイズ毎に収容されており、操作者が所望するサイズが収容されているカセットを選択すると、そのカセット内の用紙束の上から１枚ずつ送りだされ、搬送経路５５を経由して順次レーザプリンタ部３２へ向けて搬送される。
【００２８】
ＲＡＤＦ３６は、所定の原稿トレイ上に複数枚の原稿を一度にセットしておき、セットされた原稿を１枚ずつ自動的にスキャナユニット４０の原稿載置台３５上へ送給する装置である。またこのＲＡＤＦ３６は、オペレータの選択に応じて原稿の片面又は両面をスキャナユニット４０に読み取らせるように、片面原稿のための搬送経路、両面原稿のための搬送経路、搬送経路切り換え手段などから構成されている。このＲＡＤＦ３６については、従来から数多くの出願、商品化がなされているので、これ以上の説明は省略する。
【００２９】
スキャナユニット４０は、原稿面上を露光するランプリフレクタアセンブリ４１と、原稿からの反射光像を光電変換素子（ＣＣＤ）４４に導くための第１の反射ミラー４２ａからなる第１の走査ユニット４０ａ、さらなる原稿からの反射光像を光電変換素子（ＣＣＤ）４４に導くための第２、第３反射ミラー４２ｂ、４２ｃからなる第２の走査ユニット４０ｂ、原稿からの反射光像を電気的画像信号に変換する素子（ＣＣＤ）４４上に結像するための光学レンズ体４３、原稿からの反射光像を電気的画像信号に変換する素子（ＣＣＤ）４４から構成される。  スキャナ部３１は、上記ＲＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００３０】
原稿画像をスキャナユニット４０で読み取ることにより得られた画像データは、後述する画像処理部へ送られ、各種処理が施された後、画像処理部のメモリに一旦記憶され、出力指示に応じてメモリ内の画像データをレーザプリンタ部３２に与えて用紙上に画像を形成する。
【００３１】
レーザプリンタ部３２は用紙収納・搬送部、レーザ書き込みユニット４６及び画像を形成するための電子写真プロセス部４７を備えている。  レーザ書き込みユニット４６は、上述のメモリから画像データに応じたレーザ光を出射する半導体レーザ、レーザ光を等角速度偏向するポリゴンミラー、等角速度偏向されたレーザ光が電子写真プロセス部４７の感光体ドラム４８上で等速度偏向されるように補正するｆ−θレンズ等を有している。
【００３２】
電子写真プロセス部４７は、周知の態様に従い、感光体ドラム４８の周囲に帯電器、現像器、転写器、剥離器、クリーニング器、除電器及び定着器４９を配置してなっている。定着器４９より画像が形成されるべき用紙の搬送方向下流側には用紙排出搬送路５０が設けられており、この用紙排出搬送路５０は後処理装置３４へ通じている搬送路５７と、両面複写ユニット５３へ通じている搬送路５８とに分岐している。
【００３３】
レーザ書き込みユニット４６及び電子写真プロセス部４７において、画像メモリから読み出された画像データは、レーザ書き込みユニット４６によってレーザ光線を走査させることにより感光体ドラム４８の表面上に静電潜像として形成され、トナーにより可視像化されたトナー像は多段給紙ユニット３３から搬送された用紙の面上に静電転写され定着される。
【００３４】
このようにして画像が形成された用紙は定着器４９から搬送路５０及び５７を介して後処理装置３４へ送られたり、搬送路５０及び５８を介して両面複写ユニット５３へと選択搬送される。
【００３５】
《画像データー処理部》
次にこのデジタル複写機３０における、読み取られた原稿画像情報に画像処理を行う画像処理部の構成及び機能について説明する。
【００３６】
図２は図１のデジタル複写機３０に含まれている画像処理部のブロック図である。このデジタル複写機３０に含まれている画像処理部は、画像データ入力部７０、画像処理部７１、画像データ入力部７２、ＲＡＭ（ランダムアクセスメモリ）、ハードディスク等から構成されるメモリ７３及び中央処理装置（ＣＰＵ）７４を備えている。画像データ入力部７０はＣＣＤ部７０ａ、ヒストグラム処理部７０ｂ及び誤差拡散処理部７０ｃを含んでいる。
【００３７】
画像データ入力部７０はＣＣＤ４２から読み込まれた原稿の画像データを２値化変換して、２値のデジタル量としてヒストグラムをとりながら、誤差拡散法により画像データを処理して、メモリ７３に一旦記憶するように構成されている。即ち、ＣＣＤ部７０ａでは、画像データの各画素濃度に応じたアナログ電気信号がＡ／Ｄ変換されたのち、ＭＴＦ補正、白黒補正またはガンマ補正が行われ、２５６階調（８ビット）のデジタル信号としてヒストグラム処理部７０ｂへ出力される。
【００３８】
ヒストグラム処理部７０ｂでは、ＣＣＤ部７０ａから出力されたデジタル信号が２５６階調の画素濃度別に加算され濃度情報（ヒストグラムデータ）が得られるとともに、必要に応じて、得られたヒストグラムデータはＣＰＵ７４へ送られ、又画素データとして誤差拡散処理部７０ｃへ送られる。
【００３９】
誤差拡散処理部７０ｃでは、疑似中間処理の一種である誤差拡散法、すなわち、２値化の誤差を隣接画素の２値化判定に反映させる方法により、ＣＣＤ部７０ａから出力された８ビット／画素のデジタル信号が１ビット（２値化）に変換され、原稿における局所領域濃度を忠実に再現するための再配分演算が行われる。
【００４０】
画像処理部（ＩＣＵ）７１は多値化処理部７１ａ及び７１ｂ、合成処理部７１ｃ、濃度変換処理部７１ｄ、変倍処理部７１ｅ、画像プロセス部７１ｆ、誤差拡散処理部７１ｇ並びに圧縮処理部７１ｈを含んでいる。
【００４１】
画像処理部７１は、入力された画像データをオペレータが希望する画像データに最終的に変換する処理部であり、メモリ７３に最終的に変換された出力画像データとして記憶されるまでこの処理部にて処理するように構成されている。但し、画像処理部７１に含まれている上述の各処理部は必要に応じて機能するものであり、機能しない場合もある。
【００４２】
即ち、多値化処理部７１ａ及び７１ｂでは、誤差拡散処理部７０ｃで２値化されたデータが再度２５６階調に変換される。合成処理部７１ｃでは、画素毎の論理演算、即ち、論理和、論理積又は排他的論理和の演算が選択的に行われる。
【００４３】
この演算の対象となるデータは、メモリ７３に記憶されている画素データ及びパターンジェネレータ（ＰＧ）からのビットデータである。
【００４４】
濃度変換処理部７１ｄでは、２５６階調のデータ信号に対して、所定の階調変換テーブルに基づいて入力濃度に対する出力濃度の関係が任意に設定される。変倍処理部７１ｅでは、指示された変倍率に応じて、入力される既知データにより補間処理を行うことによって、変倍後の対象画素に対する画素データ（濃度値）が求められ、副走査が変倍された後に主走査が変倍処理される。画素プロセス部７１ｆでは、入力された画素データに対して様々な画像処理が行われ、又、特徴抽出等データ列に対する情報収集が行われ得る。誤差拡散処理部７１ｇでは、画像データ入力部７０の誤差拡散処理部７０ｃと同様な処理が行われる。
【００４５】
圧縮処理部７１ｈでは、ランレングスという符号化により２値データが圧縮される。又、画像データの圧縮に関しては、最終的な出力画像データが完成した時点で最後の処理ループにおいて圧縮が機能する。
【００４６】
画像データ出力部７２は復元部７２ａ、多値化処理部７２ｂ、誤差拡散処理部７２ｃ、及びレーザ出力部７２ｄを含んでいる。画像データ出力部７２は、圧縮状態でメモリ７３に記憶されている画像データを復元し、もとの２５６階調に再度変換し、２値データより滑らかな中間調表現となる４値データの誤差拡散を行い、レーザ出力部７２ｄへデータを転送するように構成されている。
【００４７】
即ち、復元部７２ａでは、圧縮処理部７１ｈによって圧縮された画像データが復元される。
【００４８】
多値化処理部７２ｂでは、画像処理部７１の多値化処理部７１ａ及び７１ｂと同様な処理が行われる。誤差拡散処理部７２ｃでは、画像データ入力部７０の誤差拡散処理部７０ｃと同様な処理が行われる。
【００４９】
レーザ出力部７２ｄでは、図に示していないシーケンスコントロールからの制御信号に基づき、デジタル画素データがレーザのオン／オフ信号に変換され、レーザ書き込みユニット４６における半導体レーザがオン／オフ状態となり、感光体ドラム４８上に静電潜像が書き込まれる。
【００５０】
尚、画像データ入力部７０および画像データ出力部７２において扱われるデータは、メモリ７３の容量の削減のため、基本的には２値データの形でメモリ７３に記憶されているが、画像データの劣化を考慮して４値のデータの形で処理することも可能である。
【００５１】
《デジタル複写機の制御ブロック構成》
図３はデジタル複写機３０の装置全体の各部を中央制御ユニット（ＣＰＵ）７４により動作管理している状態を示す図である。
【００５２】
ＣＣＤ４２、画像データー入力部７０、画像処理部７１、画像データー出力部７２、画像メモリー７３、及び中央処理装置（ＣＰＵ）７４は、図２と重複するので説明は省略する。
【００５３】
中央処理装置７４は、ＲＡＤＦ３６、スキャナー部３１、レーザープリンター部３２などデジタル複写機を構成する各駆動機構部をシーケンス制御により管理すると共に、各部へ制御信号を出力している。さらに中央処理装置には、操作パネルからなる操作基板ユニット７５が相互通信可能な状態で接続されており、操作者が設定入力した複写モードに応じて制御信号を中央処理ユニット７４に転送してデジタル複写機３０をモードに応じて動作させるようになっている。
【００５４】
また、中央処理ユニット７４からはデジタル複写機の動作状態を示す制御信号を操作基板ユニット７５へと転送して、操作基板ユニット７５側ではこの制御信号により装置が現在どのような状態にあるのか操作者に示すように表示部などにより動作状態を表示するようになっている。
【００５５】
７６はソーターコントロールユニットであり、デジタル複写機３０により出力される複写物を仕分けたりする後処理装置の動作を管理する制御ユニットである。７７は画像情報、および画像制御信号など他のデジタル画像機器との情報通信を可能にするために設けられた画像データー通信ユニットである。
【００５６】
本発明はこの画像データー通信ユニットを介して他のデジタル画像機器と画像情報、および画像制御情報の相互通信を行うことに関するものであり、本発明においては必ず必要な構成要件である。以上説明したようなデジタル複写機３０を用いて、本発明のデジタル画像形成システムを次に説明する。
【００５７】
《デジタル複写機の操作パネル》
図４は、デジタル複写機における操作パネルを表したものである。
【００５８】
この操作パネルの中央部分には、タッチパネル液晶表示装置１が配置されていて、その周囲に各種モード設定キー群が配置されている。このタッチパネル液晶表示装置１の画面上には、常時画像編集機能を選択するための画面に切り換える画面切り換え指示エリアがあって、このエリアを指で直接押圧操作すると各種画像編集機能が選択できるように液晶画面上に各種編集機能が一覧表示される。その表示された各種編集機能の中から、操作者が所望する機能が表示されている領域を指で触れることにより編集機能が設定される。
【００５９】
上記操作パネル上に配置された各種設定キー群について簡単に説明すると、２は液晶表示装置１の画面の明るさを調整するダイヤルである。３は倍率を自動的に選択させるモードの設定する倍率自動設定キー、４は複写倍率を１％きざみで設定するためのズームキー、５と６は、固定倍率を読み出して選択するための固定倍率キー、７は複写倍率を標準倍率（等倍）に戻すための等倍キーである。
【００６０】
８はコピー濃度調整を自動から手動または、写真モードへと切り換えるための濃度切り換えキー、９は手動モードまたは、写真モードの時に濃度レベルを細かく設定するための濃度調整キー、１０は複写機の給紙部にセットされている用紙サイズの中から希望する用紙サイズを選択するためのトレイ選択キーである。
【００６１】
１１は複写枚数の設定するための枚数設定キー、１２は複写枚数をクリアしたり、連続コピーを途中で止める時に操作するクリアキー、１３はコピーの開始を指示するためのスタートキー、１４は現在設定されているモードの全てを解除して標準状態に復帰させるための全解除キー、１５は連続コピー中に別の原稿に対するコピーを行いたい時に操作する割り込みキー、１６は複写機の操作が分からない時に操作することで複写機の操作方法をメッセージ表示するための操作ガイドキー、１７は操作ガイドキー１６の操作により表示されたメッセージの続きを表示させるためのメッセージ順送りキーである。
【００６２】
１８は両面複写モードの設定するための両面モード設定キー、１９は複写機から排出される複写物を仕分けるための後処理装置の動作モードを設定するための後処理モード設定キーである。
【００６３】
２０から２２はファクシミリモードに関する設定キーであり、２０は送信原稿を一旦メモリに蓄えてから送信するメモリ送信モードキー、２１はデジタル複写機のモードをコピーとファックス間で切り換えるためのコピー／ファックスモード切り換えキー、２２は送信先電話番号を予め記憶させておき送信時にワンタッチ操作で送信先に電話を発信させるためのワンタッチダイヤルキーである。
【００６４】
今回提示した操作パネル及びその操作パネル上に配置される各種キーは、あくまでも一実施例であり、デジタル複写機に搭載される各種機能により操作パネル上に設けられるキーは異なってくることはいうまでもない。
【００６５】
第１の実施の形態：ハードディスクの故障予測情報にもとづいて、故障が予測されるエリアに記憶されている画像情報を出力する。
【００６６】
ハードディスクの故障予測情報は、ハードディスク（ＨＤＤ）７３と画像処理部（ＩＣＵ）７１間で行わせるインターフェースのチェックコマンド（ステータス）を用いて実現される。このチェックコマンドは、図５のシーケンスの構成で実現されている。
【００６７】
このコマンドを発行する又は、ＨＤＤ７３自身が定期的に実行しＨＤＤ７３のデータを読みだし、書き込みのデータ比較を行いリトライの回数をカウントすることで実現する。チェックされたデータは、ＨＤＤ７３のエラー情報領域に１時格納されＩＣＵ７１からの出力指示をまつ。この一連の動作を示したのが図５、図６、図７である。
【００６８】
図５は、ＨＤＤ７３の故障を予測し適切な指示のデータを転送するタイミングを示している。まず、ＤＰＰＣのＩＣＵ７１は、ＨＤＤ７３にたいして動作の開始信号を転送する。この転送を元に、ＨＤＤ７３は動作を開始するとともに定期検査を実行し、故障予測情報を作成する。故障予測情報の作成は、周期的な測定とエラー記録の２つからなっている。周期的な測定では、磁気パターンを電気信号として読み出す時のノイズ、振幅などを見、エラー記録では、例えば、エラー検出や読み書き時のアクセス・リトライなどを記録している。これら収集した情報（検査項目）と故障予測しきい値と比較し、故障予測自己診断を行う。
【００６９】
図５では、ＨＤＤ７３のイニシャル動作とは、ＨＤＤ７３内を初期化（リセット）し、もし実行していないコマンド等があれば、このコマンドをクリアした状態で、電源を投入した状態と同様にすることを言う。
【００７０】
作成された故障予測は、コマンド情報としてＨＤＤ７３からＩＣＵ７１へ転送される。この時、情報が転送できるか確認できると、ＨＤＤ７３からＩＣＵ７１に対して再度ステータスコマンドとともに故障予測データを転送する。故障予測データは、図７の故障予測データ形式に反映され、この情報を元にＩＣＵ７１は、ＨＤＤ７３の警告内容を解析し、適切な処置、これから実行しようとする処理の方法を決定する。
【００７１】
図６は、故障予測データ形式のファーマットである。構成内容は、故障予測ＩＤ、故障予測データバイト数、センスキー１、２、インフォメーションバイト、総バイト数、センスコードから構成されている。故障予測ＩＤは、故障内容に応じた内容の識別をあらわす。故障個所のシリアル番号でもある。故障予測データバイト数は、このフォーマットのデータ量をあらわす。
【００７２】
センスキー１は、エラー検出後のリカバリ動作ができるかどうかをあらわす。センスキー２は、エラーの分類をあらわす。インフォーメーションバイトは、故障個所をあらわす、ＨＤＤ７３のメモリアドレスをあらわす。総バイト数は、ＨＤＤ７３の故障予測されたデータ量をあらわす。センスコードは、故障予測内容の詳細をコードで表現したものである。
【００７３】
故障予測ＩＤは、ＨＤＤ７３の制御を行う際に、様々なコマンドやＩＤやパラメータを使ってさせる。故障予測データが作成されデータの内容が故障予測ＩＤであることを認識する為に、１６進数の数字によるＩＤを付ける。本形態例では、故障予測ＩＤを７０Ｈとする。
【００７４】
図７は、故障予測内容の原因とデータフォーマットの組み合わせ表である。
【００７５】
実施の形態例では、ハードディスクの故障予測情報は、ＨＤＤ７３とＩＣＵ７１間で行わせるインターフェースのチェックコマンド（ステータス）を用いて実現される。
【００７６】
このチェックコマンドは、図６の構成で実現されている。このコマンドを発行する又は、ＨＤＤ７３自身が定期的に実行しＨＤＤ７３のデータを読みだし、書き込みのデータ比較を行いリトライの回数をカウントすることで実現する。チェックされたデータは、ＨＤＤ７３のエラー情報領域に一時格納されＩＣＵ７１からの出力指示をまつ。
【００７７】
この一連の動作を示したのが図１０のフローである。故障予測情報が検出されるとＩＣＵ７１は、情報を解析する処理をおこなう。この故障解析では、ハードディスクの故障エリアのスタートアドレスとエンドアドレスが検出される。この検出された領域には、画像データが連続アドレスで格納されている。
【００７８】
このデータを、ＨＤＤ７３の領域から別の出力に出力するための指示メッセージを出す。指示メッセージにしたがって，ＩＣＵ７１は，画像データを出力装置に出力する。
【００７９】
ＨＤＤ７３を用いた画像形成装置であるデジタル複写機において，マルチコピーを実行する場合，ＨＤＤ７３を使用し，１度の入力で複数を出力するために画像を連続で記憶していかなければならなかったり，ファイリング等の情報を長期にわたって保存しておかなければならない場合がある。このとき，ＨＤＤ７３が故障してしまうと，連続に処理しているデータは，それまでの処理分が無効になったり，長期保存のデータが消えてしまい，ファイリングの意味がなくなってしまう。そこで，ＨＤＤ７３の故障予測情報からＨＤＤ７３のデータ管理を行うことで上記の不具合を解消する。
【００８０】
ＩＣＵ７１は，ＨＤＤ７３の故障予測情報をもらうと，ＨＤＤ７３の中に保存されている画像データを記憶すべき、画像形成装置の他の記憶装置を探す。探した結果，記憶装置がなければ，そのデータをプリンタ印字を行い出力する。また，他の記憶装置があればそこに画像データを転送する。
【００８１】
図３のようにパソコン（ＰＣ）に対してデータをコントロールする手段がメモリを使用している場合は，そこに画像データを圧縮して記憶しておく。また，他のＨＤＤ７３がある場合は，そこに転送する。転送出力した後，ＩＣＵ７１はＨＤＤ７３に規制をかけることを特徴とする。このことを、フロー図１０に示す。
【００８２】
第２の実施の形態：ハードディスクの故障予測情報にもとづいて、故障が予測されるエリアに記憶されている画像情報をプリンタから出力する。
【００８３】
故障予測情報が検出されると情報を解析する処理がおこなわれる。この故障解析では、ハードディスクの故障エリアのスタートアドレスとエンドアドレスが
検出される。この検出された領域には、画像データが連続アドレスで格納されている。このデータを画像サイズにあわせて用紙を選択し、画像を分割して印字を実行する。画像サイズは，画像データ毎にファイル情報として管理されているため，画像のサイズ情報はわかる。これから，画像のサイズに合う用紙を選択して印字をおこなう。このとき，サイズの用紙がない場合，画像を分割して，元データより小さい用紙に印字実行を行う。
【００８４】
画像の変倍や加工はせず，再度読み取った時に画像を１つのエリアに合成できるようにファイル情報と分割情報は記録しておくことで，出力した画像の再保存を可能とする特徴がある（フロー図１２）。
【００８５】
第３の実施の形態：ハードディスクの故障予測情報にもとづいて，故障が予測されるエリアに記憶されている画像情報をプリンタから出力するとともに，出力画像の１部に指示を問うメッセージ画像を記録する。故障予測情報が検出されると情報を解析する処理がおこなわれる。
【００８６】
この故障解析では、ハードディスクの故障エリアのスタートアドレスとエンドアドレスが検出される。この検出された領域には、画像データが連続アドレスで格納されている。このデータを画像サイズにあわせて用紙を選択し、印字を実行する（フロー図１３）。
【００８７】
この印字のための画像が準備された段階で画像のヘッダ，フッタ部に印字される画像をどのようにするかのメッセージ画像を作成する。このメッセージ画像は，ＨＤＤ７３の画像をどのようにするかをユーザに指示するためのもので故障情報をもとに作成する。この指示メッセージにしたがって，ユーザーは，画像形成装置の操作パネルからＨＤＤ７３の規制をかけるようにしたことを特徴とする（フロー図１４）。
【００８８】
第４の実施の形態：ハードディスクの故障予測情報にもとづいて，故障が予測されるエリアに記憶されている画像情報をプリンタから出力するとともに，ハードディスクに記憶されている画像情報の転送指示があると，指示された内容にもとづいて画像情報を出力する。
【００８９】
故障予測情報が検出されると情報を解析する処理がおこなわれる。この故障解析では、ハードディスクの故障エリアのスタートアドレスとエンドアドレスが検出される。検出された領域の画像は，プリンタで印字される。
【００９０】
また，このデータを削除する前に，操作パネルにおいてこのデータをどのように扱うかを問う指示が表示される。この表示は，データをどの部分へ転送するかを表示する。表示のためにマシンは，データが管理できるデバイスをマシンにつながっているすべての記憶媒体から探し出す。例えば，マシンにつながったホストＰＣハードディスクがあいていれば，この部分へ画像を転送する。また、他のマシンのＨＤＤ７３へ転送する。
【００９１】
第５の実施の形態：ハードディスクの故障予測情報にもとづいて，故障が予測されるエリアに記憶されている画像情報をハードディスクの他の領域に記憶させる。
【００９２】
故障予測情報が検出されると情報を解析する処理がおこなわれる。この故障解析では、ハードディスクの故障エリアのスタートアドレスとエンドアドレスが
検出される。この検出された画像領域のデータをバッファメモリに一度移動させながら，他の領域に移動する。
【００９３】
第６の実施の形態：ハードディスクの故障予測情報にもとづいて，故障が予測されるエリアに記憶されている画像情報を他の記憶装置に転送する。
【００９４】
故障予測情報をもとに、ＩＣＵ７１は故障しそうなエリアの画像をネットワークにつながったＰＣへ画像の転送を行い、一時待避を行う（フロー図１５）。
【００９５】
第７の実施の形態：設定された画像処理モードから画像情報が記憶されているハードディスクをアクセスする回数を求め、このアクセス回数にもとずいてハードディスクの故障を予測するとともに、画像処理に関するモードを制御する。
【００９６】
ハードディスクの使用状況を管理するために図８に示すような管理表を作成し管理を行う。この管理表は、図３のＩＣＵ７１が管理している。また、この表は、操作パネルで設定された画像処理モードに応じて記憶されている。記憶されている情報は、モード毎にあらかじめ使用されるメモリ量が記載される。メモリ量は、画像情報に使用する領域のスタートアドレスとエンドアドレス、それに、容量が示されている。
【００９７】
ここで言うハードディスクのアクセス回数は、ＨＤＤ７３のデータをアクセスするときのまたは、処理においてデータを書き込む時のリトライ回数を言う。リトライは、ＨＤＤ７３のデータを正確にアクセスできない状態を指し、この回数をカウントしておくことで使用しているメモリ領域の故障予測を判定できる。
【００９８】
先の、管理表とともにリトライ回数を監視して、リトライが複数回のモード指定で連続した場合、次からそのモードは、禁止として操作パネルでメッセージを表示し、機能選択を禁止することを特徴とする（フロー図１６）。
【００９９】
画像処理のモードによってＨＤＤ７３の使用する領域が相違するため、領域の書き込みができない故障に対しては、モードを制限して使用する。故障の状態は図７のように種類があり、ＨＤＤ７３の動作故障だけではない。
【０１００】
第８の実施の形態：設定された画像処理モードから画像情報が記憶されているハードディスクをアクセスする回数を求め、アクセス回数にもとづいてハードディスクの故障を予測するとともに、設定されたモードを実行する前に事前警告を行う。
【０１０１】
予測情報をもとにモード設定がされた操作パネルで警告のメッセージを出す。
【０１０２】
これには、モードを実行するか止めるかが図９のように表示され、警告を出し設定がされるまで、処理のスタートは禁止されている（フロー図１７）。
【０１０３】
第９の実施の形態：設定された画像処理モードから画像情報が記憶されているハードディスクをアクセスする回数を求め、アクセス回数にもとづいてハードディスクの故障を予測するとともに、設定されたモードの一部（コピー枚数など）を規制する。
【０１０４】
電子ＲＤＨ動作において、常に枚数が１００枚等の動作が続く場合、予測情報から枚数を制限し、５０枚づつとしてハードディスクの使用頻度を半分に減らす。つまり，使用領域をリトライ回数の少ない領域を選択して使用する。
【０１０５】
これは、予測判定での記録からリトライの回数が発生したメモリ領域を記録しておくことで実現できる。これもデータの管理表としてＨＤＤ７３に蓄積され、マシンが立ち上がると同時にデータがＩＣＵ７１に転送され、この情報を元にリトライ回数の領域が１ページを越えると２ページ分は使用できないようにし、Ｎページを超えるとＮ＋１のページの処理は禁止し、のこりの領域で行える枚数分の処理のみを許可する（フロー図１８）。リトライ回数の領域が１ページを越えると２ページ分は使用できないようにするのは、故障領域が１ページを越えると２ページ目の領域まで使用してしまうので、２ページ目までを禁止するのである。これは、画像データをＨＤＤ７３で扱う場合、連続アドレスで画像データを書きんでいくためにＨＤＤ７３へ書き込む前に必要ページの領域を確保してから転送するために、１ページを越えた場合、２ページ目を禁止するということである。
【０１０６】
第１０の実施の形態：設定された画像処理モードから画像情報が記憶されているハードディスクをアクセスする回数を求め、アクセス回数にもとづいてハードディスクの故障を予測するとともに、故障予測情報が所定の値に達すると画像の出力をいったん停止する。
【０１０７】
ＩＣＵ７１においてＨＤＤ７３のリトライ回数をカウントする。このカウント値から故障を予測し，リトライ回数の多い領域の処理を一時中断する。
【０１０８】
この中断のあと，指定された領域の画像を修復する。つまり、指定領域で画像のリトライのため代わりの領域にデータが書き込まれているので、これをつなぎあわせて、連続アドレスデータとして別領域（異常のない部分）へ転送し処理を再開する。
【０１０９】
第１１の実施の形態：設定された画像処理モードから画像情報が記憶されているハードディスクをアクセスする回数を求め、アクセス回数にもとづいてハードディスクの故障を予測するとともに、故障予測情報が所定の値に達してから以降に出力される画像は、今までの排出形態と異ならせて排出する。
【０１１０】
ＩＣＵ７１においてＨＤＤ７３のリトライ回数をカウントする。このカウント値から故障を予測し，予測された領域に保存されている画像をマルチで連続して出力する場合は、１ページにまとめて出力し，ＨＤＤ７３の使用時間を短くする。１ページにあわせるのは、ＨＤＤ７３から読み出して縮小する。
【０１１１】
複数ページの画像をＨＤＤ７３から読み出し、縮小合成して１ページにまとめ、合成画像をページメモリに記憶させて、２順目からはページメモリから読み出せば、ＨＤＤ７３のアクセスは１回で済む。
【０１１２】
その他、本発明は上記しかつ図面に示した実施の形態のみに限定されるものではなく、要旨を逸脱しない範囲内で適宜変形して実施できることは勿論である。
【０１１３】
【発明の効果】
請求項１に記載の画像形成装置によれば、動作時の異常の記録に基づいて、画像形成装置の画像記憶装置に使用するハードディスクの故障や連続アドレスで記憶されるデータのアクセススピードが異常になったりすることを前もって予測することができ、これにより、記憶装置の画像データの信頼性を保証することができる。さらに、圧縮されたデータの完全復元を行うためには、データの異常は致命的なため異常を起こす前に対応することでデータのファイリングが可能になる。
【０１１４】
請求項２に記載の画像形成装置によれば、動作時の異常の記録に基づいて、画像形成装置の画像記憶装置に使用するハードディスクの故障や連続アドレスで記憶されるデータのアクセススピードが異常になったりすることを前もって予測することができ、これにより、記憶装置の故障領域からデータを待避する方法をユーザに知らせることができる。
【０１１５】
請求項３に記載の画像形成装置によれば、請求項２において、データを待避する方法をユーザに知らせることができるとともに、ユーザに対して画像の待避方法を選択することができる。
【０１１６】
請求項４に記載の画像形成装置によれば、ＨＤＤ内の記憶手段の有効領域を無駄なく使用することができる。
【０１１７】
請求項５に記載の画像形成装置によれば、動作時の異常の記録に基づいて、画像記憶装置内で故障予測を行い、異常を判定した、規制手段により規制した画像処理モードの一部モードを使用せずに画像処理を行っているので、画像の異常を無くすことができる。
【０１１８】
請求項６に記載の画像形成装置によれば、動作時の異常の記録に基づいて、画像記憶装置で故障が予測された故障予測エリアを使用する機能モードについて、ユーザにメッセージを与えることにより、処理の変更や画像の異常に対する原因を明らかにすることができる。
【０１１９】
請求項７に記載の画像形成装置によれば、動作時の異常の記録に基づく画像記憶装置の故障が予測された時点で、出力処理が行われていた場合、出力処理をいったん中止し、故障予測エリアの画像を安全な領域に待避してから、続行することで故障領域のアクセス回数を少なくすることができる。
【０１２０】
請求項８記載の画像形成装置によれば、動作時の異常の記録に基づく画像記憶装置の故障が予測された時点で、出力処理が行われていた場合、出力処理をいったん中止し、故障予測エリアの画像を安全な領域に待避してから、続行することで故障領域のアクセス回数を少なくし、出力処理の時間も短くしてＨＤＤの故障対応を早くすることができる。
【図面の簡単な説明】
【図１】本発明の一実施の形態の画像形成装置の構成を示す断面図である。
【図２】本発明の一実施の形態の画像形成装置のシステム構成を示すブロック図である。
【図３】本発明の一実施の形態の画像形成装置のシステム構成を示すブロック図である。
【図４】操作パネルを示す図である。
【図５】本発明の一実施の形態のＨＤ故障予測シーケンス構成を示す図である。
【図６】本発明の一実施の形態の故障予測情報表を示す図である。
【図７】本発明の一実施の形態の故障予測情報内容表を示す図である。
【図８】本発明の一実施の形態のＩＣＵの故障管理表を示す図である。
【図９】本発明の一実施の形態の操作パネルで警告メッセージを示す図である。
【図１０】本発明の一実施の形態を示す動作のフロー図である。
【図１１】本発明の一実施の形態を示す動作のフロー図である。
【図１２】本発明の一実施の形態を示す動作のフロー図である。
【図１３】本発明の一実施の形態を示す動作のフロー図である。
【図１４】本発明の一実施の形態を示す動作のフロー図である。
【図１５】本発明の一実施の形態を示す動作のフロー図である。
【図１６】本発明の一実施の形態を示す動作のフロー図である。
【図１７】本発明の一実施の形態を示す動作のフロー図である。
【図１８】本発明の一実施の形態を示す動作のフロー図である。
【符号の説明】
３０  デジタル複写機
３１  スキャナー部
３２  レーザープリンター部
３６  ＲＡＤＦ
４２  ＣＣＤ
７０  画像データー入力部
７１  画像処理部（ＩＣＵ）
７２  画像データー出力部
７３  画像メモリー
７４  中央処理装置（ＣＰＵ）
７５  操作基板ユニット
７６  ソーターコントロールユニット
【図１】
0003585691.tif 000002
【図２】
0003585691.tif 000003
【図３】
0003585691.tif 000004
【図４】
0003585691.tif 000005
【図５】
0003585691.tif 000006
【図６】
0003585691.tif 000007
【図７】
0003585691.tif 000008
【図８】
0003585691.tif 000009
【図９】
0003585691.tif 000010
【図１０】
0003585691.tif 000011
【図１１】
0003585691.tif 000012
【図１２】
0003585691.tif 000013
【図１３】
0003585691.tif 000014
【図１４】
0003585691.tif 000015
【図１５】
0003585691.tif 000016
【図１６】
0003585691.tif 000017
【図１７】
0003585691.tif 000018
【図１８】
0003585691.tif 000019